(57)【要約】  本発明は、移動通信網に基づくテレビ電話のコール失敗を処理する方法に関する。以下のステップを備える。：発信端末の発信したテレビ電話コール失敗時に、移動通信網側は、コール失敗の原因に応じて、前記発信端末へコール失敗メッセージを返送するステップを備え、前記失敗メッセージは、コール失敗の原因値及び接続解除信号を有し、前記発信端末内には、前もってコール失敗の通知情報データが保存されている。：前記方法は、さらに、前記発信端末が前記コール失敗のメッセージを受信後に、前期発信端末は、前記コール失敗の原因値に基づき、上記コールの失敗通知情報データを前記発信端末内からサーチして引き出すとともに、ローカルで前記コールの失敗通知情報を前記発信端末に放送するステップを備える。本発明は、テレビ電話発信端末に予めコールの失敗通知情報を設置し、ネットワーク側よりコールの失敗シグナリングを送信することで、テレビ電話発信端末において、コール失敗時に、すぐに失敗原因を認知できるとともに、有効的に次の具体的な操作を行うことができる。さらに、すぐにコール失敗の原因を発信端末に返すことで、システムの資源は好適に利用されて、システムの資源の無駄も減少する。【選択図】図１
2008546330.tif 000002
【特許請求の範囲】
【請求項１】
移動通信網に基づくテレビ電話のコール失敗を処理する方法であって、
前記方法は、
発信端末の発信したテレビ電話コール失敗時に、移動通信網側は、コール失敗の原因に応じて、前記発信端末へコール失敗メッセージを返送するステップ１を備え、
前記失敗メッセージは、コール失敗の原因値及び接続解除信号を有し、
前記発信端末内には、前もってコール失敗の通知情報データが保存されていて、
前記方法は、さらに、
前記発信端末が前記コール失敗のメッセージを受信後に、前期発信端末は、前記コール失敗の原因値に基づき、上記コールの失敗通知情報データを前記発信端末内からサーチして引き出すとともに、ローカルで前記コールの失敗通知情報を前記発信端末に放送するステップ２を備えることを特徴とする、テレビ電話のコール失敗を処理する方法。
【請求項２】
前記発信端末へコール失敗メッセージを返送するステップ（１）において、
コール失敗の原因値は、コール失敗の原因を示す情報パラメーターであり、
前記コール失敗の原因は、着信端末が通話中であること、着信端末が既に電源を切っていること、着信端末が圏外に位置すること、着信端末が応答しないこと、あるいは前記発信端末がダイアルした番号が無効電話番号であることを特徴とする請求項１記載の移動通信網に基づくテレビ電話のコール失敗を処理する方法。
【請求項３】
前記コールの失敗通知情報を前記発信端末に放送するステップ（２）において、
前記コールの失敗通知情報データは、前記コール失敗の原因を通知するのに用いられ、
前記コールの失敗通知情報データは、複数の文字情報あるいはビデオファイル及び/又はオーディオファイルであることを特徴とする請求項２記載の移動通信網に基づくテレビ電話のコール失敗を処理する方法。
【請求項４】
前記コールの失敗通知情報を前記発信端末に放送するステップ（２）において、
前記ステップ（２）は、
前記発信端末は、前記コールの失敗メッセージを受信した後、当該コールの失敗メッセージを解析して、上記コール失敗の原因値を引き出すステップ（２１）と、
前記発信端末は、前記コール失敗の原因値に基づき、対応する上記文字情報あるいはビデオファイル及び/又はオーディオファイルをサーチして引き出すステップ（２２）と、
前記発信端末は、前記発信端末における表示情報及び/又はボイス放送情報に基づき、前記ビデオファイル及び/又はオーディオファイルを放送し、あるいは表示情報に基づき、文字情報を表示するステップ（２３）をさらに備えることを特徴とする、請求項３記載の移動通信網に基づくテレビ電話のコール失敗をプロセス方法。
【発明の詳細な説明】
【技術分野】
【０００１】
本発明は、移動通信網に基づくテレビ電話のコール失敗を処理する方法に関する。特に、本発明は、移動通信システムにおいて、発信側が着信側にテレビ通話のコール要求を送信してもリンクが成功できない場合には、発信側に対してコール失敗の通知ボイスを放送する方法に関する。
【背景技術】
【０００２】
テレビ電話をサポートする移動通信網（例えば3Gネットワークで）が使われるに伴って、移動通信端末のユーザの間では、テレビ電話移動端末を通じて互いにテレビ通話を行うことができるようになった。
【０００３】
上記テレビ電話をサポートする移動通信網で、通話両側の信号伝送は、従来の2Gネットワークでのデータストリームの伝送方式とは異なっている。通話両側の信号伝送は、データパッケージを送信する方法を採用して、多くのビデオ、オーディオのデータの伝送を行っている。従って、テレビ通話情報は、発着信両側のスイッチ（移動通信端末システムにおけるスイッチ）及び全通信リンクを通過することで、データの伝送を行っている。このテレビ通話情報は、データパッケージ情報であり、全て圧縮されて、パッケージされる。これらのデータパッケージ情報は、テレビ電話移動端末に送信された後、当該テレビ電話移動端末が解凍等のプロセスを行い、これらの情報が放送される。
【０００４】
2Gネットワークでは、一つの発信端末がある着信端末にコール要求を発信しても、当該着信端末と繋がることができない場合、ネットワーク側は、着信側のスイッチあるいは発信側のスイッチを用いることで、発信端末にコール失敗の通知ボイスを、繋がることができない具体的な原因に応じて、放送する。そして、当該コール失敗の通知ボイスは、コール失敗の具体的な原因を指摘することができる。なお、着信端末に繋がらない状態とは、例えば、着信端末が話し中である場合、既に着信端末の電源が切れている場合、着信端末がネットワークの圏外に位置する場合、着信端末の応答がない場合、あるいは着信端末の番号を誤ってダイアルする場合が提示される。
【０００５】
テレビ電話をサポートする移動通信網の情報伝送方式は2Gネットワークと異なる。従って、当該ネットワークの中の一つの発信端末が、ほかの着信端末にコール要求を送信し、当該着信端末に対して繋がらない状態にある場合には、従来の国際規範に基づき、ネットワーク側はいかなるボイスを放送する処理を行わない。たとえネットワーク側がコールの通知ボイスを放送しても、当該放送されたコールの通知ボイスのデータパッケージは、圧縮処理に用いるデータパッケージとは異なるため、発信ユーザは、いかなるコール失敗に係る通知情報も獲得できない。加えて、発信ユーザは、コール失敗の原因を認知できない。同時に、発信ユーザがコール失敗かどうかを認知できない間は、システム資源において無駄が生じる。そのため、ユーザに対してコール失敗の通知情報を提供し、ユーザが次にどのような操作を行なうのか、システム事業者がサポートをする必要がある。これは、ネットワークを作る上で、早急に解决したい問題である。また、このサポートは、システム事業者がユーザに良質の通信サービスを提供する際に必要不可欠であるとともに、ネットワークのオペレーション効率を向上させる上で重要である。
【発明の開示】
【発明が解決しようとする課題】
【０００６】
上記既存のテレビ電話をサポートする移動通信網において、コールが失敗時には、ネットワーク側はいかなるボイスを放送する処理も行わない。そして、発信ユーザはいかなるコール失敗に係る通知情報も獲得できない。このような現状を鑑みて、本発明が提案された。本発明の目的は、移動通信網に基づくテレビ電話のコール失敗を処理する方法を提供することである。当該方法は、予めテレビ端末に様々な通知情報を設けることで、一つの通知情報をシステムネットワーク側の各種類のシグナリングと対応させる方法である。これにより、発信端末は、コール失敗後に、当該コール失敗の原因を知ることができる。
【課題を解決するための手段】
【０００７】
上記目的を実現するために、本発明に係る移動通信網に基づくテレビ電話のコール失敗を処理する方法は、以下のステップを含む：
ステップ１：発信端末の発信したテレビ電話のコールが失敗した時、移動通信網側は、コール失敗の原因に応じて、上記発信端末へコール失敗メッセージを返送する。当該失敗メッセージには、コール失敗の原因値及び接続解除信号が含まれる；上記発信端末内には、前もってコール失敗の通知情報データが保存されている；
ステップ２：上記発信端末は、上記コールの失敗メッセージを受信した後、上記発信端末は、上記原因値に基づき、上記コール失敗の通知情報データを上記発信端末内からサーチして引き出す。そして、ローカルで当該コールの失敗通知情報を放送する。
【０００８】
上記方法において、コール失敗の通知情報データは、移動通信網内には保存されていない。これは既存の2Gネットワークとは異なる。コール失敗の通知情報データは、発信端末内に保存されている。発信端末によるコールが失敗した場合、移動通信網は、失敗の原因値を生成する。当該失敗の原因値に基づき、発信端末は受信できるコール失敗の信号を生成する。当該コール失敗の信号に基づき、発信端末は、保存されたコールの失敗通知情報データをサーチして引き出し、発信端末のローカルで放送することができる。上記方法から分かるように、本発明において、発信端末内は前もってコールの失敗通知情報データを保存しており、移動通信網側よりコールの失敗メッセージを送信することにより、発信端末は、コール失敗時に、すぐに失敗原因を認知する。発信端末からテレビ電話移動端末のユーザに対して通知情報を送信し、テレビ電話移動端末のユーザに対して好ましいコールサービスを提供することができる。さらに、移動通信網がすぐにコール失敗の原因を発信端末に返すので、システムの資源は好適に利用されて、システムの資源の無駄も減少する。
【発明を実施するための最良の形態】
【０００９】
以下、図面と具体的な実施状態を参照しつつ、更に、本発明について説明する。
本発明に係るコールの失敗通知情報を放送する具体的の一つの実施例のプロセスは、図1を参照して、以下のように示される：
ステップ１０１：発信端末が発信したテレビ電話のコールが失敗した時、移動通信網側は、コール失敗の原因に基づいて、発信端末にコール失敗メッセージを返す。当該失敗メッセージには、コール失敗の原因値及び接続解除信号が含まれる。発信端末内には、予めコール失敗の通知情報データが保存されている。コール失敗の原因値は、コール失敗の原因を示す情報パラメーターである。コール失敗の原因としては、着信端末が通話中であること、着信端末の電源が切れていること、着信端末が圏外の状態にあること、着信端末が応答しないこと、あるいは上記発信端末のダイアルした番号が無効な電話番号であることなどが提示される。コール失敗の通知情報データは、上記コール失敗の原因を通知するに使う複数の文字情報、ビデオファイル及び/又はオーディオファイルである。それぞれの情報あるいはファイルは、一種類のコール失敗の原因を示す。各原因は、マークによる情報形式を用いて、画一して提示できる。移動通信網側の有するコール失敗の原因値は、発信端末内にて前もって保存されている各種類のコール失敗の原因を示すマーク情報と対応する。
ステップ１０２：発信端末は、上記コール失敗メッセージを受信した後、当該コール失敗メッセージを解析し、上記コール失敗の原因値を算出する。
ステップ１０３：発信端末は、コール失敗の原因値に基づき、それに対応する文字情報、ビデオファイル及び/又はオーディオファイルを発信端末内からサーチして引き出す。コール失敗の原因値が発信端末内において、予め保存してある各種類のコール失敗の原因を示すマーク情報と対応している。従って、発信端末は、具体的なコール失敗の原因値に基づき、発信端末内の具体的なコールの失敗通知文字情報、ビデオファイル及び/又はオーディオファイルを見つけることができる。
ステップ１０４：発信端末は、その表示情報及び/又は音声放送情報に基づき、ビデオファイル及び/又はオーディオファイルを放送する。あるいは表示情報に基づき、コールの失敗通知文字を表示する。
【００１０】
最後に説明すべきものは、上記実施例は本発明に係る技術を説明するために用いたものであり、本発明に係る技術的範囲を限定するものではない。上記具体的な実施形態を挙げて、本発明は説明したが、当業者であれば、本発明の技術形態に対して各種態様の修正或いは交替を行うことができ、本発明の技術形態の要旨及び範囲を逸脱するものではなく、本発明の技術的範囲に属することは明白である。
【図面の簡単な説明】
【００１１】
【図１】本発明に係る具体的な一つの実施例のフロー・チャートである。
【図１】
2008546330.tif 000003
【国際調査報告】
2008546330.tif 000004
2008546330.tif 000005
2008546330.tif 000006
2008546330.tif 000007